(57)【特許請求の範囲】
【請求項１】
伸縮可能な筒状の火袋の上下に上方リング及び下方リングを有し、前記上方リングと前記下方リングとが離隔した伸長状態と、前記上方リングと前記下方リングとが近接した圧縮状態との間を変位可能な提灯であって、
さらに、上方取付部材を有し、
前記上方リングの内径は前記下方リングの外径よりも大径であり、
前記上方リングは、上方内側リングと上方外側リングとが嵌合状態で形成されており、
前記上方取付部材は、上方脚部と、上方内側突出部とを有し、当該上方脚部が前記上方内側リングと前記上方外側リングとの間に挿入されて前記上方リングに取り付けられ、
前記上方内側突出部は、前記上方リングの内側方向に突出し、当該提灯が圧縮状態において前記下方リングに当接して前記下方リングが前記上方リングの内部に嵌合することを阻止する嵌合阻止部である、提灯。
【請求項２】
伸縮可能な筒状の火袋の上下に上方リング及び下方リングを有し、前記上方リングと前記下方リングとが離隔した伸長状態と、前記上方リングと前記下方リングとが近接した圧縮状態との間を変位可能な提灯であって、
さらに、下方取付部材を有し、
前記上方リングの内径は前記下方リングの外径よりも大径であり、
前記下方リングは、下方内側リングと下方外側リングとが嵌合状態で形成されており、
前記下方取付部材は、下方脚部と、下方外側突出部とを有し、当該下方脚部が前記下方内側リングと前記下方外側リングとの間に挿入されて前記下方リングに取り付けられ、
前記下方外側突出部は、前記下方リングの外側方向に突出し、当該提灯が圧縮状態において前記上方リングに当接して前記下方リングが前記上方リングの内部に嵌合することを阻止する嵌合阻止部である、提灯。
【請求項３】
請求項１に記載の提灯であって、
各前記上方取付部材は、１本の針金が折り曲げられて形成されており、少なくともほぼ平行に延びる一対の前記上方脚部と、前記上方内側突出部を有する、提灯。
【請求項４】
請求項３に記載の提灯であって、
前記上方取付部材における前記一対の上方脚部の長さが同一ではない、提灯。
【請求項５】
伸縮可能な筒状の火袋の上下に上方リング及び下方リングを有し、前記上方リングと前記下方リングとが離隔した伸長状態と、前記上方リングと前記下方リングとが近接した圧縮状態との間を変位可能な提灯であって、
さらに、一体型上方取付部材を有し、
前記上方リングの内径は前記下方リングの外径よりも大径であり、
前記一体型上方取付部材は、上方取付本体部と、複数の上方内側突出部とを有し、
前記上方取付本体部は、前記上方リングの内周にほぼ対応する長さを有し、自身の弾性復元力に基づいて前記上方リングの内周面に対して押圧し、その押圧力に基づく摩擦力によって前記上方リングに対して取り付けられ、
前記上方内側突出部は、前記上方取付本体部の下縁部から前記上方リングの内側方向に向けて折り曲げられて形成されており、当該提灯が圧縮状態において前記下方リングに当接して前記下方リングが前記上方リングの内部に嵌合することを阻止する嵌合阻止部である、提灯。
【発明の詳細な説明】
【技術分野】
【０００１】
この発明は、提灯に関するものである。
【背景技術】
【０００２】
提灯は、現在では日常的に照明器具として使用されることはまれではあるが、特別な場面においては、やはり貴重な存在である。
例えば、日本の古来からの祭りや、盆等の宗教的行事においては、現在でも提灯が広く使用されている。また、居酒屋の店先において、装飾や目印として提灯が使用される場合も少なくない。
【０００３】
提灯には種々の構造のものがあるが、そのうち代表的なものの基本的な構造は、次のとおりである。
提灯は、火袋（提灯本体）と、その上下に設けられた上方リング及び下方リング等を有している。
火袋は、筒状をなし、主として紙によって形成されているとともに、竹ひご等の多数の円環状又はらせん状の骨輪によって支持されている。
こうして、提灯（火袋）は、蛇腹状に伸縮可能である。すなわち、提灯は、本来の状態である伸長状態と、圧縮状態との間を変位可能である。
提灯は、使用される場合は伸長状態とされ、使用されない場合は圧縮状態とされて保管される。なお、圧縮状態とは幅のある概念である。
【０００４】
そして、本来的に、圧縮状態においては、下方リングの上縁部よりも上方リングの下縁部の方が若干高い位置に位置し、高さ方向における両者の間に火袋（その下縁部近傍）が挟まれた状態で存在することとなる。
【０００５】
ところで、一般的に、上方リングは、下方リングよりも若干大径である。正確には、上方リングの内径は、下方リングの外径よりも若干大径である。
【０００６】
このため、提灯が乱雑に扱われて上下方向に圧縮されすぎた場合には、下方リングが、その高さ方向において部分的に又は全面的に、上方リングの内部に嵌合してしまう場合がある（その状態を過圧縮状態ということとする）。
過圧縮状態では、下方リングの上縁部よりも上方リングの下縁部の方が低い位置に位置することとなり、その場合は、前述したように両者間に挟まれた状態で存在する火袋の下縁部近傍に剪断力が作用し、当該部分が損傷することとなる。
こうして、提灯（火袋）は、大半が損傷しない状況でも、その部分のみが損傷することによって使用不可状態となってしまう。これは非常に不経済である。
【０００７】
特に、祭りの場合には、大量の提灯が使用される場合が多く、祭りの終了後にその大量の提灯が片付けられる際には、乱雑に扱われることも多い。また、圧縮状態の大量の提灯が上下に重ねて収容される際に、上下方向に過大な力が加えられてしまうこともある。こうして、提灯は過圧縮状態となって、火袋の下縁部近傍が損傷するのである。
【０００８】
また、上述のことを防止するために、下方リングの上に厚紙を載置した状態で火袋を圧縮し、圧縮状態の際に、高さ方向において下方リングと上方リングとの間に厚紙が挿入された状態とすることもされている。
しかしながら、その作業は煩雑であり、祭りのように大量の提灯を扱う場合は、それが顕著なものとなる。
【０００９】
なお、この分野における先行技術の一例としては、特許文献１に開示されているものがある。
【先行技術文献】
【特許文献】
【００１０】
【特許文献１】特開２０１３−１２３１０号公報
【発明の概要】
【発明が解決しようとする課題】
【００１１】
本発明は、過圧縮状態になることを防止して、火袋の損傷を容易に防止することができる提灯を提供することを課題とする。
【課題を解決するための手段】
【００１２】
この課題を解決するために、請求項１に係る発明は、伸縮可能な筒状の火袋の上下に上方リング及び下方リングを有し、前記上方リングと前記下方リングとが離隔した伸長状態と、前記上方リングと前記下方リングとが近接した圧縮状態との間を変位可能な提灯であって、さらに、上方取付部材を有し、前記上方リングの内径は前記下方リングの外径よりも大径であり、前記上方リングは、上方内側リングと上方外側リングとが嵌合状態で形成されており、前記上方取付部材は、上方脚部と、上方内側突出部とを有し、当該上方脚部が前記上方内側リングと前記上方外側リングとの間に挿入されて前記上方リングに取り付けられ、前記上方内側突出部は、前記上方リングの内側方向に突出し、当該提灯が圧縮状態において前記下方リングに当接して前記下方リングが前記上方リングの内部に嵌合することを阻止する嵌合阻止部である、提灯である。
【００１３】
ここで、「当接」とは、直接的に当接する場合に限らず、間接的に当接する（すなわち、他のものを挟んだ状態で当接する）場合を含むものである。このことは、請求項２に係る発明においても同様である。
なお、「当該上方リングの内側方向に突出し」の「内側方向」には、「内側方向成分を有する方向」も含まれる。
【００１４】
この発明の提灯では、上方リングに設けられた上方内側突出部（嵌合阻止部）が上方リングの内側方向に突出している。このため、この発明の提灯が圧縮状態になった際に、上方内側突出部が下方リングに対して当接し、それ以上上方リングが下降することが防止され、下方リングが上方リングの内部に嵌合することが防止される。
こうして、この発明の提灯では過可圧縮状態になることが防止され、火袋が損傷することが防止される。
【００１５】
また、この発明の提灯では、上方脚部が上方内側リングと上方外側リングとの間に挿入されて上方取付部材が上方リングに取り付けられることによって、上方内側突出部が上方リングに取り付けられている。
このため、上方内側突出部が上方リングに容易に取り付けられ得る。
【００１６】
請求項２に係る発明は、伸縮可能な筒状の火袋の上下に上方リング及び下方リングを有し、前記上方リングと前記下方リングとが離隔した伸長状態と、前記上方リングと前記下方リングとが近接した圧縮状態との間を変位可能な提灯であって、さらに、下方取付部材を有し、前記上方リングの内径は前記下方リングの外径よりも大径であり、前記下方リングは、下方内側リングと下方外側リングとが嵌合状態で形成されており、前記下方取付部材は、下方脚部と、下方外側突出部とを有し、当該下方脚部が前記下方内側リングと前記下方外側リングとの間に挿入されて前記下方リングに取り付けられ、前記下方外側突出部は、前記下方リングの外側方向に突出し、当該提灯が圧縮状態において前記上方リングに当接して前記下方リングが前記上方リングの内部に嵌合することを阻止する嵌合阻止部である、提灯である。
【００１７】
なお、「当該下方リングの外側方向に突出し」の「外側方向」には、「外側方向成分を有する方向」も含まれる。
【００１８】
この発明の提灯では、下方リングに設けられた下方外側突出部（嵌合阻止部）が下方リングの外側方向に突出している。このため、この発明の提灯が圧縮状態になった際に、下方外側突出部が上方リングに対して当接し、それ以上上方リングが下降することが防止され、下方リングが上方リングの内部に嵌合することが防止される。
こうして、この発明の提灯では過可圧縮状態になることが防止され、火袋が損傷することが防止される。
【００１９】
また、この発明の提灯では、下方脚部が下方内側リングと下方外側リングとの間に挿入されて下方取付部材が下方リングに取り付けられることによって、下方外側突出部が下方リングに取り付けられている。
このため、下方外側突出部が下方リングに容易に取り付けられ得る。
【００２０】
請求項３に係る発明は、請求項１に係る発明の提灯であって、各前記上方取付部材は、１本の針金が折り曲げられて形成されており、少なくともほぼ平行に延びる一対の前記上方脚部と、前記上方内側突出部を有する、提灯である。
【００２１】
この発明の提灯では、請求項１に係る発明の提灯の作用効果に加えて、次の作用効果が得られる。
すなわち、この発明の提灯では、１本の針金が折り曲げられて各上方取付部材が形成されているため、容易にかつ安価に上方取付部材が製造され、請求項１に係る発明の提灯が安価にかつ容易に製造され得る。
【００２２】
なお、この発明は、請求項２に係る発明にも応用され得る。すなわち、請求項２に係る発明を限定したものとして、次のものが考えられる。
「請求項２に係る発明の提灯であって、
各前記下方取付部材は、１本の針金が折り曲げられて形成されており、少なくともほぼ平行に延びる一対の前記下方脚部と、前記下方外側突出部を有する、提灯。」
【００２３】
請求項４に係る発明は、請求項３に係る発明の提灯であって、前記上方取付部材における前記一対の上方脚部の長さが同一ではない、提灯である。
【００２４】
この発明の提灯では、請求項３に係る発明の提灯の作用効果に加えて、次の作用効果が得られる。
すなわち、この発明の提灯では、一対の上方脚部の長さが同一ではないため、まずは、長い方の上方脚部を所定の位置に位置づけて上方リングに取り付けて、次に短い方の上方脚部を所定の位置に位置づけて上方リングに取り付ける、というように、１本ずつ上方リングに対して取り付けることができる。
このため、上方取付部材が上方リングにより容易に取り付けられ、請求項３に係る発明の提灯がより容易に製造され得る。
なお、この発明も、前述の請求項２に係る発明の改良発明にも応用され得る。
【００２５】
請求項５に係る発明は、伸縮可能な筒状の火袋の上下に上方リング及び下方リングを有し、前記上方リングと前記下方リングとが離隔した伸長状態と、前記上方リングと前記下方リングとが近接した圧縮状態との間を変位可能な提灯であって、さらに、一体型上方取付部材を有し、前記上方リングの内径は前記下方リングの外径よりも大径であり、前記一体型上方取付部材は、上方取付本体部と、複数の上方内側突出部とを有し、前記上方取付本体部は、前記上方リングの内周にほぼ対応する長さを有し、自身の弾性復元力に基づいて前記上方リングの内周面に対して押圧し、その押圧力に基づく摩擦力によって前記上方リングに対して取り付けられ、前記上方内側突出部は、前記上方取付本体部の下縁部から前記上方リングの内側方向に向けて折り曲げられて形成されており、当該提灯が圧縮状態において前記下方リングに当接して前記下方リングが前記上方リングの内部に嵌合することを阻止する嵌合阻止部である、提灯である。
【００２６】
この発明の提灯では、請求項１に係る発明と同様の作用効果が得られる。すなわち、上方リングに設けられた上方内側突出部（嵌合阻止部）が上方リングの内側方向に突出している。このため、この発明の提灯が圧縮状態になった際に、上方内側突出部が下方リングに対して当接し、それ以上上方リングが下降することが防止され、下方リングが上方リングの内部に嵌合することが防止される。
こうして、この発明の提灯では過可圧縮状態になることが防止され、火袋が損傷することが防止される。
【００２７】
また、この発明の提灯では、上方取付本体部が弾性的に変形された状態で上方リングの内周面に沿わされることによって、上方取付本体部が自身の弾性復元力に基づいて上方リングの内周面に対して押圧し、その押圧力に基づく摩擦力によって上方リングに取り付けられている。なお、必要に応じて接着剤が使用されてもよい。
このため、上方内側突出部が上方リングに容易に取り付けられ得る。
【００２８】
なお、この発明に関連して、次の発明も考えられる。
「伸縮可能な筒状の火袋の上下に上方リング及び下方リングを有し、前記上方リングと前記下方リングとが離隔した伸長状態と、前記上方リングと前記下方リングとが近接した圧縮状態との間を変位可能な提灯であって、
さらに、一体型下方取付部材を有し、
前記上方リングの内径は前記下方リングの外径よりも大径であり、
前記一体型下方取付部材は、下方取付本体部と、複数の下方外側突出部とを有し、
前記下方取付本体部は、前記下方リングの内周にほぼ対応する長さを有し、自身の弾性復元力に基づいて前記下方リングの内周面に対して押圧し、その押圧力に基づく摩擦力によって前記下方リングに対して取り付けられ、
前記下方外側突出部は、前記下方取付本体部の上縁部から前記下方リングの外側方向に向けて折り曲げられて形成されており、当該提灯が圧縮状態において前記上方リングに当接して前記下方リングが前記上方リングの内部に嵌合することを阻止する嵌合阻止部である、提灯。
【図面の簡単な説明】
【００２９】
【図１】本発明の実施例１の提灯を示す斜視図である。
【図２】本発明の実施例１の提灯を示す分解斜視図である。
【図３】本発明の実施例１の提灯を示す分解縦断面図である。
【図４Ａ】本発明の実施例１の提灯（伸長状態）を示す縦断面図である。
【図４Ｂ】本発明の実施例１の提灯（圧縮状態）を示す縦断面図である。
【図５】本発明の実施例１の提灯を示す横断面図である。
【図６Ａ】本発明の実施例１の提灯において上方取付部材を上方リングに取り付ける工程を示す図であって、最初の段階を示す図である。（ａ）は斜め下方から見た部分斜視図であり、（ｂ）は部分縦断面図である。このことは図６Ｂ及び図６Ｃでも同様である。
【図６Ｂ】本発明の実施例１の提灯において上方取付部材を上方リングに取り付ける工程を示す図であって、図６Ａの次の段階を示す図である。
【図６Ｃ】本発明の実施例１の提灯において上方取付部材を上方リングに取り付ける工程を示す図であって、図６Ｂの次の段階を示す図である。
【図７】本発明の実施例２の提灯を示す分解斜視図（一部破断）である。
【図８Ａ】本発明の実施例２の提灯（伸長状態）を示す縦断面図である。
【図８Ｂ】本発明の実施例２の提灯（圧縮状態）を示す縦断面図である。
【図９】本発明の実施例３の提灯（そのうちの上部）を示す斜視図である。
【図１０】本発明の実施例３の提灯（そのうちの上部）を示す分解斜視図である。
【図１１】本発明の実施例４の提灯（そのうちの上部）を示す斜視図である。
【図１２】本発明の実施例４の提灯（そのうちの上部）を示す分解斜視図である。
【発明を実施するための形態】
【００３０】
［実施例１］
次に、本発明の実施例１の提灯について、図１〜図６Ｃに基づいて説明する。
図１〜図４Ａに示すように、この提灯は、火袋（提灯本体）１０，上方リング２０，下方リング３０を有している。
【００３１】
図１及び図２に示すように、火袋１０は、竹ひご等による多数の円環状又はらせん状の骨輪１５に対して和紙等の紙又は合成樹脂のフィルムが貼着されて、筒状に形成されている。こうして、火袋１０は骨輪１５によって支持されている。なお、図面（図５以外）においては、骨輪１５は、簡略的に、太さを有さない一本線状に記載してある。
図４Ａ及び図４Ｂ等に示すように、提灯（火袋１０）は、蛇腹状に伸縮可能である。すなわち、提灯は、本来の状態である伸長状態（図４Ａ等）と、圧縮状態（図４Ｂ）との間を変位可能である。
【００３２】
図１〜図５に示すように、この提灯においては、火袋１０は、そのいずれの高さ位置においても同心的な円形断面を有している。すなわち、中心軸線を基準として、いわゆる回転体の形状を有している。
そして、火袋１０（伸長状態）は、上方及び下方に開口部（符号省略）を有するほぼ球状をしており、ほぼ中央高さ位置が最も大径である（その部位を「最大径部」ということとする）。すなわち、火袋１０は、その上縁部から下方に向けて急激に大径となるとともに、その下縁部から上方に向けても急激に大径となり、最大径部及びその近傍においては、緩やかな曲線状の縦断面を有している。
なお、火袋１０の形状は、これに限らず、種々のものが適用され得る。例えば、高さ方向における中央近傍において、最大径部が上下方向に長く延びていてもよい。
【００３３】
図１〜図４Ａに示すように、上方リング２０は、無蓋状の円環状（扁平な円筒状）をしており、図２〜図４Ａに示すように、いずれも木製の円環状（扁平な円筒状）の上方内側リング２１及び上方外側リング２２（いずれも無蓋状）を有している。
図３に示すように、火袋１０の上部は上方被貼着部１２であり、上方被貼着部１２は、上方内側リング２１（その外周面）に貼着されている。それに対して、上方外側リング２２が嵌合されて、釘等によって固定されている。
こうして、図１及び図４に示すように、上方リング２０が形成されているとともに、火袋１０に上方リング２０が同心的に結合されている。
【００３４】
図２〜図４Ａに示すように、下方リング３０は有底円環状（扁平な有底円筒状）をしており、いずれも木製の円環状（扁平な円筒状）の下方内側リング３１及び下方外側リング３２を有している。下方内側リング３１は無底状である一方、下方外側リング３２は有底状をしている。
図３に示すように、火袋１０の下部は下方被貼着部１３であり、下方被貼着部１３は、下方内側リング３１（その外周面）に貼着されている。それに対して、下方外側リング３２が嵌合されて、釘等によって固定されている。
こうして、図１及び図４に示すように、下方リング３０が形成されているとともに、火袋１０に下方リング３０が同心的に結合されている。
【００３５】
なお、火袋１０の上方被貼着部１２及び下方被貼着部１３は、図３においては図示されているが、非常に薄いものであるため、その他の図においては省略されている。
【００３６】
図１〜図４Ａに示すように、上方リング２０には、吊り下げ部２５が設けられている。
図２〜図４Ａに基づいて前述したように、下方リング３０（下方外側リング３２）は有底状をしており、下方リング３０（下方外側リング３２）の底部３４には、ろうそく立て部３５が設けられている。
【００３７】
前述したように火袋１０は回転体状をしており、同じく前述のように円環状の上方リング２０及び下方リング３０は火袋１０に対して同心的である。このため、図５に示すように、提灯（上方リング２０，火袋１０，下方リング３０）全体としても中心軸線を基準に回転体状をしており、上方リング２０及び下方リング３０は相互に同心的である。
【００３８】
図４Ａ〜図５に示すように、上方リング２０は、下方リング３０よりも若干大径である。正確にいえば、上方リング２０（上方内側リング２１）の内径は、下方リング３０（下方外側リング３２）の外径よりも若干大径である。
【００３９】
図１，図２，図５に示すように、上方リング２０には、複数（例えば３つ）の上方取付部材５０が取り付けられている。３つの上方取付部材５０は、等角度間隔を隔てて上方リング２０に固定されている。
【００４０】
図２，図６Ａ〜図６Ｃに示すように、各上方取付部材５０は、１本の針金が折り曲げられて形成されている。すなわち、１本の針金が、その中央近傍を基準に１８０度折り曲げられてほぼＵ字状とされるとともに、それがさらにほぼ垂直に折り曲げられて形成されている。
こうして、各上方取付部材５０は、一対の上方脚部５２と、上方内側突出部５５を有している。
すなわち、一対の上方脚部５２は、相互にほぼ平行に延びている。上方内側突出部５５は緩やかなＶ字状（又はＵ字状）をなすとともに、一対の上方脚部５２とは垂直に延びている。
また、一対の上方脚部５２のうち、一方の上方脚部５２ａは長く、他方の上方脚部５２ｂは短く形成されている。
【００４１】
そして、図３〜図５に示すように、各上方取付部材５０は、一対の上方脚部５２が、上方内側リング２１と上方外側リング２２との間の部分に対して、その下側から強制的に挿入されるとともに、必要に応じて接着剤によって上方内側リング２１及び上方外側リング２２に接着されて、上方リング２０に固定されている。
こうして、一対の上方脚部５２は上方リング２０の内部に内蔵されるとともに、上方内側突出部５５は、上方リング２０の内側（提灯の中心軸線の側）にほぼ水平に突出している。この上方内側突出部５５が、本発明の「嵌合阻止部」に該当する。
そして、上方内側突出部５５の先端部（上方リング２０の最も内側に位置する部分）は、下方リング３０（その内縁部）よりも内側（提灯の中心軸線の側）に位置している。すなわち、上方内側突出部５５の先端部は、下方リング３０の外縁部よりも内側であるとともに、さらに、下方リング３０の内縁部よりも内側である。
【００４２】
次に、この提灯の作用効果について説明する。
この提灯を使用する場合は、図１及び図４Ａ等に示すように、上方リング２０と下方リング３０とが離隔した伸長状態とされる。
一方、この提灯の使用を終了して保管しようとする際には、図４Ｂに示すように、上方リング２０と下方リング３０とが近接した圧縮状態とされる。なお、この圧縮状態（図４Ｂ）は、圧縮状態（過圧縮状態を含まない）のうち、ほぼ最も圧縮された状態である。
【００４３】
図４Ｂ及び図５に示すように、その圧縮状態において、上方内側突出部５５が下方リング３０（その上縁部）に対して当接する。正確にいうと、火袋１０の下縁部を挟んだ状態で間接的に当接する。こうして、上方リング２０がそれ以上下降する（下方リング３０の内部に嵌合する）ことが阻止される。
このようにして、この提灯では、過圧縮状態になることが有効に防止され、火袋１０の下縁部近傍が損傷することが防止される。
【００４４】
また、この提灯では、次の作用効果も得られる。
図６Ａ〜図６Ｃ等に基づいて前述したように、各上方取付部材５０の一対の上方脚部５２のうち、一方の上方脚部５２ａは長く、他方の上方脚部５２ｂは短い。このため、各上方取付部材５０は、次のようにして上方リング２０に取り付けられる。
まずは、図６Ａ→図６Ｂに示すように、長い方の上方脚部５２ａのみが上方リング２０（上方内側リング２１と上方外側リング２２との間）に取り付けられ、その後に、図６Ｂ→図６Ｃに示すように、短い方の上方脚部５２ｂが取り付けられる。
このため、上方取付部材５０を容易に上部リング２０に取り付けることができる。
【００４５】
すなわち、仮に両上方脚部５２の長さが同じであると、両上方脚部５２を同時又はほぼ同時に取り付けることとなる。この場合は、両上方脚部５２とも同時又はほぼ同時に所定の位置（上方内側リング２１と上方外側リング２２との間）に位置づけられて取り付けられる必要がある。
しかしながら、この上方取付部材５０では２本の上方脚部５２（５２ａ，５２ｂ）の長さが異なるため、上述のように上方脚部５２ａ，５２ｂが１本ずつ位置づけられて取り付けられる。このため、上方取付部材５０を容易に取り付けることができるのである。
【００４６】
［実施例２］
次に、本発明の実施例２の提灯について、実施例１との相違点を中心に、図７〜図８Ｂに基づいて説明する。実施例１と共通する要素については、同一の符号を付して、適宜その説明を省略する（このことは以下同様である）。
【００４７】
この提灯は、実施例１における複数の上方取付部材５０の代わりに、複数（例えば３つ）の下方取付部材６０を有している。
各下方取付部材６０は、上方取付部材５０と同様に、１本の針金が折り曲げられて形成されており、一対の下方脚部６２と、下方外側突出部６５を有している。
一対の下方脚部６２は、相互にほぼ平行に延びている。下方外側突出部６５は緩やかなＶ字状（又はＵ字状）をなすとともに、一対の下方脚部６２と鈍角の角度を挟んでいる。
【００４８】
そして、各下方取付部材６０は、一対の下方脚部６２が、下方内側リング３１と下方外側リング３２との間の部分に対して、その上側から強制的に挿入されるとともに、必要に応じて接着剤によって下方内側リング３１及び下方外側リング３２に接着されて、下方リング３０に固定されている。
こうして、一対の下方脚部６２は下方リング３０の内部に内蔵されるとともに、下方外側突出部６５は、下方リング３０の外側（提灯の中心軸線から離隔する方向の側）に向かうにつれて徐々に上方に向かうように水平から傾斜して突出している。その傾斜角度は、火袋１０の下縁部近傍の縦断面に対応している。この下方外側突出部６５が、本発明の「嵌合阻止部」に該当する。
そして、下方外側突出部６５の先端部は、上方リング２０（その外縁部）よりも外側（提灯の中心軸線から離隔する方向の側）に位置している。
【００４９】
次に、この提灯の作用効果について説明する。
この提灯を使用する場合は、図８Ａに示すように、上方リング２０と下方リング３０とが離隔した伸長状態とされる。
一方、この提灯の使用を終了して保管しようとする際には、図８Ｂに示すように、上方リング２０と下方リング３０とが近接した圧縮状態とされる。なお、この圧縮状態（図８Ｂ）は、圧縮状態（過圧縮状態を含まない）のうち、最も圧縮された状態よりも若干伸長した状態である。
【００５０】
図８Ｂに示すように、その圧縮状態において、下方外側突出部６５が上方リング２０（その下縁部）に対して当接する。正確にいうと、火袋１０の上縁部を挟んだ状態で間接的に当接する。こうして、上方リング２０がそれ以上下降する（下方リング３０の内部に嵌合する）ことが阻止される。
このようにして、この提灯でも、過圧縮状態になることが有効に防止され、火袋１０の下縁部近傍が損傷することが防止される。
【００５１】
［実施例３］
次に、本発明の実施例３の提灯について、実施例１との相違点を中心に、図９及び図１０に基づいて説明する。
この提灯においても、実施例１と同様に、複数（例えば３つ）の上方取付部材１５０が取り付けられている。
各上方取付部材１５０は、金属板が打ち抜き等によって切断されて、又は、合成樹脂によって形成されている。
各上方取付部材１５０は、上方脚部１５２と、上方内側突出部１５５を有している。
上方脚部１５２は、幅細の帯板状をしている。上方内側突出部１５５は、上方脚部１５２と垂直のほぼ円形状の平板状をなすとともに、中央に孔（符号省略）が形成されている。
【００５２】
そして、上方取付部材１５０は、上方脚部１５２が、上方内側リング２１と上方外側リング２２との間の部分に対して、その下側から強制的に挿入されるとともに、必要に応じて接着剤によって上方内側リング２１及び上方外側リング２２に接着されて、上方リング２０に固定されている。
こうして、上方脚部１５２は上方リング２０の内部に内蔵されるとともに、上方内側突出部１５５は、上方リング２０の内側（提灯の中心軸線の側）にほぼ水平に突出している。この上方内側突出部１５５が、本発明の「嵌合阻止部」に該当する。
そして、上方内側突出部１５５の先端部（上方リング２０の最も内側に位置する部分）は、下方リング３０（その内縁部）よりも内側（提灯の中心軸線の側）に位置している。  そして、実施例１における作用効果と同様の作用効果が得られる。
【００５３】
［実施例４］
次に、本発明の実施例４の提灯について、実施例１との相違点を中心に、図１１及び図１２に基づいて説明する。
上方リング２０に、１つの一体型上方取付部材２５０が取り付けられている。
一体型上方取付部材２５０は、弾性を有する１枚のほぼ帯状の金属板が折り曲げられて形成されている。すなわち、帯板状の上方取付本体部２５２の下縁部には、例えば４つの上方内側突出部２５５が形成されている。上方内側突出部２５５は、上方取付本体部２５２から９０度折り曲げられて形成されている。
一体型上方取付部材２５０（上方取付本体部２５２）は弾性を有し、上方リング２０（上方内側リング２１）の内周にほぼ対応する長さ（同一又は若干短い長さ）を有している。
【００５４】
そして、一体型上方取付部材２５０は、上方内側突出部２５５が内側方向を向くように弾性的に湾曲され、上方リング２０の内側に挿入され、自身の弾性復元力によって上方リング２０の内周面（上方内側リング２１の内周面）に対して押圧する。その押圧力に基づく摩擦力とともに、必要に応じて接着剤によって、一体型上方取付部材２５０は上方リング２０に対して取り付けられている。
その際、４つの上方内側突出部２５５が上方リング２０の下縁部とほぼ同一高さ位置に位置するように、取り付けられる。
こうして、上方内側突出部２５５は、上方リング２０の内側（提灯の中心軸線の側）にほぼ水平に突出している。この上方内側突出部２５５が、本発明の「嵌合阻止部」に該当する。
そして、実施例１における作用効果と同様の作用効果が得られる。
【００５５】
なお、上記のものはあくまで本発明の数例の実施例にすぎず、当業者の知識に基づいて種々の変更を加えた態様で本発明を実施できることはもちろんである。
例えば、上方内側突出部（５５，１５５，２５５）／下方外側突出部（６５）の数については、種々のものがあり得る。
さらには、上方内側突出部（５５，１５５，２５５）／下方外側突出部（６５）の構造についても、種々のものがあり得る。
【符号の説明】
【００５６】
１０  火袋
２０  上方リング
２１  上方内側リング
２２  上方外側リング
３０  下方リング
３１  下方内側リング
３２  下方外側リング
５０  １５０  上方取付部材    ２５０  一体型上方取付部材
５２  １５２  上方脚部            ２５２  上方取付本体部
５５  １５５  ２５５  上方内側突出部（嵌合阻止部）
６０  下方取付部材
６２  下方脚部
６５  下方外側突出部（嵌合阻止部）
【図１】
0006386439.tif 000002
【図２】
0006386439.tif 000003
【図３】
0006386439.tif 000004
【図４Ａ】
0006386439.tif 000005
【図４Ｂ】
0006386439.tif 000006
【図５】
0006386439.tif 000007
【図６Ａ】
0006386439.tif 000008
【図６Ｂ】
0006386439.tif 000009
【図６Ｃ】
0006386439.tif 000010
【図７】
0006386439.tif 000011
【図８Ａ】
0006386439.tif 000012
【図８Ｂ】
0006386439.tif 000013
【図９】
0006386439.tif 000014
【図１０】
0006386439.tif 000015
【図１１】
0006386439.tif 000016
【図１２】
0006386439.tif 000017